(57)【要約】      （修正有）【課題】一枚のブランクシートから包装用箱と同時に形作られる支持部材を備え、上下左右のいずれの方向へも安定して定型容器を支持できるようにした包装用紙箱を提供する。【解決手段】保持板１１を一定領域に内装し全側板１〜４の端部と連なる糊代１０を前記全側板の反対端部裏面に接着してなる筒体を備え、前記保持板は、当該保持板が平坦な状態において被保持容器Ａの胴部を支える支持孔を具備した保持部１１ｂと、当該保持部に対して屈した状態において被保持容器のくびれ部を支える支持片を前記支持孔に向けて具備した支持部を備える。さらに、前記側板との間に被保持容器の挟持領域を形成し、前記支持部は、前記筒体の開口部の閉鎖に伴い当該筒体の内部へ押し込まれる受圧部を備える。【選択図】図１
0003182479.tif 000002
【実用新案登録請求の範囲】
【請求項１】
全側板、糊代板、保持板の順でそれらが一列に連なる一枚のブランクシートから組み立てる包装用箱であって、
前記保持板を一定領域に内装し前記全側板の端部と連なる糊代を前記全側板の反対端部裏面に接着してなる筒体を備え、
前記保持板は、当該保持板が平坦な状態において被保持容器の胴部を支える支持孔を具備した保持部と、当該保持部に対して屈した状態において被保持容器のくびれ部を支える支持片を前記支持孔に向けて具備した支持部を備えると共に、前記側板との間に被保持容器の挟持領域を形成し、
前記支持部は、前記筒体の開口部の閉鎖に伴い当該筒体の内部へ押し込まれる受圧部を備えることを特徴とする包装用箱。
【請求項２】
前記筒体の開口部を封じる閉鎖板と、当該閉鎖板の閉鎖に伴い前記受圧部が前記保持板の前記挟持領域とは反対の側に押し込まれる支持部を備えることを特徴とする前記請求項１に記載の包装用箱。
【考案の詳細な説明】
【技術分野】
【０００１】
本考案は、例えば、バイアル瓶等の定型容器を安定して収容し得る包装用箱の構造に関する。
【背景技術】
【０００２】
従来、包装用箱は、一枚又は複数枚の紙シートを折り曲げ成形して形作られているものが多く（例えば、下記特許文献１、特許文献２、特許文献４、及び特許文献５参照。）、定型容器を安定して収容することを目的とする包装用箱などは、縦孔や横孔を設けた支持部材を、一体的に又は別体として内装する（例えば、下記特許文献３参照。）ことによって、外より与えられた衝撃から定型容器の破損を防止する緩衝空隙の形成や、内部で生じる干渉を回避する固定手段が実現されているものが多い。
【先行技術文献】
【特許文献】
【０００３】
【特許文献１】特開２００２−３４７７５３号公報
【特許文献２】特開２００３−２６７３５１号公報
【特許文献３】実開平６−１４０２２
【特許文献４】特開平１１−４９１４５号公報
【特許文献５】特開２００１−１５１２２９号公報
【考案の概要】
【考案が解決しようとする課題】
【０００４】
しかしながら、前記特許文献に開示された従来の手法では、支持位置を上下左右のいずれの方向へも安定して固定する為に、支持部材に対して比較的複雑な構造が強いられ（例えば、特許文献５参照。）、又は複数の支持部材を要することとなり（例えば、特許文献３参照。）、場合によっては、定型容器の装脱に困難性が伴うこととなる場合もある。
その結果、定型容器を包装用箱に収容する工程が完了するまでに、単数又は複数の支持部材の比較的複雑な組み立てや包装用箱内への装填等、種々の作業を別途行わなければならないという問題が生じる。
【０００５】
本考案は、上記実情に鑑みてなされたものであって、一枚のブランクシートから包装用箱と同時に形作られる支持部材を備え、当該支持部材によって上下左右のいずれの方向へも安定して定型容器を支持できる包装用紙箱の提供を目的とする。
【課題を解決するための手段】
【０００６】
上記課題を解決すべく為された本考案による包装用紙箱は、全側板、糊代板、保持板の順でそれらが一列に連なる一枚のブランクシートから組み立てる包装用箱であって、前記保持板を一定領域に内装し前記全側板の端部と連なる糊代を前記全側板の反対端部裏面に接着してなる筒体を備え、前記保持板は、当該保持板が平坦な状態において被保持容器の胴部を支える支持孔を具備した保持部と、当該保持部に対して屈した状態において被保持容器のくびれ部を支える支持片を前記支持孔に向けて具備した支持部を備えると共に、前記側板との間に被保持容器の挟持領域を形成し、前記支持部は、前記筒体の開口部の封鎖に伴い当該筒体の内部へ押し込まれる受圧部を備えることを特徴とする。
【０００７】
前記全側板とは、例えば、直方体形状の包装用箱であれば、一列に連なっている四つの側板の全てである様に、多角柱状の包装用箱であれば、一列に連なっている複数の側面の全てであり、円柱状の包装用箱であれば、円筒状をなす一個の曲側面である。
また、被保持容器のくびれ部とは、バイアル瓶の首部等、前記支持片を差し入れて上下の揺動を規制できる部分を指す。
前記支持片を前記支持孔に向けて具備するとは、前記支持片を前記支持孔の縁の一部として設ける場合や、前記支持片を前記支持孔とは別にその周縁部から抜き出す場合を含む。
【０００８】
前記筒体の開口部を封じる閉鎖板と、当該閉鎖板の閉鎖に伴い前記受圧部が前記保持板の前記挟持領域とは反対の側に押し込まれる支持部を備える構造としてもよい。
【考案の効果】
【０００９】
本考案による包装用箱によれば、全側板、糊代板、保持板の順でそれらが一列に連なる一枚のブランクシートから組み立てる構造を採用することによって、包装用箱の組み立て工程において保持部材（保持板）を同時に一定領域に内装することができる。
【００１０】
また、前記保持板に、当該保持板が平坦な状態において被保持容器の胴部を支える支持孔を具備した保持部と、当該保持部に対して屈した状態において被保持容器のくびれ部を支える支持片を前記支持孔に向けて具備した支持部を備え、前記側板との間に被保持容器の挟持領域を形成し、且つ前記支持部に、前記筒体の開口部の閉鎖に伴い当該筒体の内部へ押し込まれる受圧部を備える構造を採用することによって、前記筒体の開口部の閉鎖と同時に前記支持部が屈し、被保持容器のくびれ部を支える支持片が機能することとなる。
【００１１】
例えば、前記筒体の開口部を封じる閉鎖板と、当該閉鎖板の閉鎖に伴い前記受圧部が前記保持板の前記挟持領域とは反対の側に押し込まれる支持部を備える構造とすれば、閉鎖板から加圧を受けた受圧部が押し込まれることによって、前記受圧部の内側に位置する支持孔に向けた支持片が保持板から自然に離脱して機能する様にしてもよい。
【図面の簡単な説明】
【００１２】
【図１】本考案による包装用箱の一例を示す上蓋解放時における、（Ａ）：左側から見た縦断面図と、（Ｂ）：正面から見た縦断面図である。
【図２】本考案による包装用箱の一例を示す上蓋閉鎖時における、（Ａ）：左側から見た縦断面図と、（Ｂ）：正面から見た縦断面図である。
【図３】本考案による包装用箱の一例を示す上蓋閉鎖時における背面から見た縦断面図である。
【図４】本考案による包装用箱の一例を示す、（Ａ）：上蓋解放時、（Ｂ）：上蓋閉鎖時における上から見た横断面図である。
【図５】本考案による包装用箱の一例を示す（Ａ）：正面図と（Ｂ）：背面図である。
【図６】本考案による包装用箱の一例を示す（Ａ）：平面図と（Ｂ）：底面図である。
【図７】本考案による包装用箱の一例を示す（Ａ）：右側面図と（Ｂ）：左側面図である。
【図８】本考案による包装用箱の一例を示す上蓋閉鎖時における左側から見た縦断面図である。
【図９】本考案による包装用箱用ブランクシートの一例を示す（Ａ）：正面図と（Ｂ）：背面図である。
【図１０】本考案による包装用箱用ブランクシートの一例を示す平面図である（底面図はこの鏡像）。
【図１１】本考案による包装用箱用ブランクシートの一例を示す（Ａ）：右側面図と（Ｂ）：左側面図である。
【考案を実施するための形態】
【００１３】
以下、本考案による包装用箱（以下、紙箱と記す。）の実施の形態を、そのブランクシートの実施の形態と共に、詳細に説明する。
図１に示す包装用箱は、直方体状六面体の包装用箱である。
【００１４】
＜ブランクシート＞
当該包装用箱は、四つの側板１，２，３，４、上蓋５、及び底板６，７、並びに前記上蓋５を下支えする蓋支持片８，９、前記底板６，７を下支えする底支持片１３，１４、糊代板１０、保持板１１、及び突っ張り片１２を備える紙製又は樹脂製のブランクシートに対し、折り曲げ成形及び糊付けを施すことによって組み上がるものである（図１又は図１０参照）。
【００１５】
前記（全）側板１，２，３，４は、右側板１、前板２、左側板３、及び背板４を一列に連ねてなり、前記背板４の端縁に沿って右側板１の端縁部に接着する糊代板（以下、第一糊代と記す。）１０が延在する。
前記上蓋５は、当該箱の上開口部を封じる方形状の閉鎖板５ａと、閉鎖状態を維持すべく前面に沿って差し入れる差し込み片５ｂを備える。
【００１６】
前記前板２は、当該箱の前方を封じる方形状のシート片であって、上部中央に開封口を囲う断続的な切込み線２ａを備え、当該前板２の下縁に沿って前記前底板６が延在する。
前記背板４は、前記前板２と同形状の当該箱の後方を封じるシート片であって、当該背板４の上縁に沿って前記上蓋５の閉鎖板５ａが延在すると共に、同背板４の下縁に沿って前記背底板７が延在する。
【００１７】
前記右側板１及び左側板３は、各々同形状を呈して当該箱の右側方と左側方を封じるシート片であって、各々の上縁に沿って前記蓋支持片（右蓋支持片８及び左蓋支持片９）が延在すると共に、各々の下縁に沿って前記前底板６及び背底板７を支える底支持片（右底支持片１３及び左底支持片１４）を備える。
各蓋支持片８，９及び各底支持片１３，１４は、前記前底板６及び背底板７の幅に対して約１／２の長さを持つ台形状を呈する。
【００１８】
前記前底板６及び背底板７は、これら二つが組み合うことによって、当該箱の下方の略全域を封じるシート片である。
【００１９】
前記前底板６は、前記右底支持片１３の表面に貼着される糊代（以下、第二糊代６ａと記す。）及び前記背底板７及び左底支持片１４を下支えする扇形（三角形等でも良い。）の前支持面６ｂを備え、前記背底板７は、前記左底支持片１４の表面に貼着される糊代（以下、第三糊代７ａと記す。）及び前記前底板６及び右底支持片１３を下支えする扇形（三角形等でも良い。）の背支持面７ｂを備える。
【００２０】
両底板６，７は、各々が連続する前記前板２及び背板４における下縁の左右方向の第二糊代６ａ側及び第三糊代側７ａの端から、内側４５度の方向へ直線的に折り線（以下、第一境界線６ｃ，第二境界線７ｃと記す。）を備える。
【００２１】
前記保持板１１は、前記第一糊代１０の中間位の端縁に沿って延在し、前記前板２又は背板４の幅と略等しい幅を有する。
前記保持板１１は、その上縁が円弧状に裁断され、その側端部に前記右側板１の裏面に当接する突っ張り片１２を具備し、その中央部に左右対照形状に穿設された抜き孔１５を備える。
【００２２】
前記保持板１１の上位と、前記保持板１１の下位は、前記抜き孔１５を含めて屈曲可能に連続する支持部１１ａと保持部１１ｂをそれぞれ構成し、その境界に直線状の折り線１１ｃを備える。
前記支持部１１ａにおいて、前記抜き孔１５の上部周縁が被保持容器Ａの首部を支持する前記支持片１６を構成し、前記保持部１１ｂにおいて前記抜き孔１５の下部は被保持容器Ａの胴部を保持する前記支持孔を構成する。
【００２３】
前記支持片１６は、前記支持部１１ａの最下位に位置し、前記抜き孔１５の上部に被保持容器Ａの首部を囲う股部１６ａを下向きに設けると共に、当該股部１６ａの左右側方から各々の外側へ上向きに傾斜した切込みを設けることによって、前記折り線１１ｃから保持部１１ｂ側へ突出する一対の突出片１６ｂを被保持容器Ａの首部の径の分だけ隔てて形成することによって得る。また、前記股部１６ａの中央には、被保持容器Ａの頭部を通過させる空間を確保するに足る切込み１６ｃを備える。
【００２４】
前記保持板（支持部１１ａ）１１の上縁最頂部は、前記全側板１，２，３，４の上縁から突出する受圧部となり、前記蓋支持片８，９及び閉鎖板５ａの閉鎖に伴って箱の内部に押し入れられ、その結果、前記折り線１１ｃでの屈曲によって、前記支持片１６は、前記保持板１１の後方に抜き出され、被保持容器Ａの首部に差し入れられる形態となる。
【００２５】
前記突っ張り片１２は、前記保持部１１ｂの側端縁に沿って一部が当該保持部１１ｂに食い込む形で延在し（以下、食い込んだ部分を副支片１２ｂと記す。）、前記突っ張り片１２と保持部１１ｂとの境界線を支線とする揺動に伴い、前記副支片１２ｂが前記保持部１１ｂから脱出すると共に、前記保持部１１ｂ外の主支片１２ａが平面的に一体化した状態で連動する構造を有する。
【００２６】
前記主支片１２ａ及び副支片１２ｂの幅は、前記糊代板１０の幅と相俟って、前記背板（前記側板のひとつ）４と保持板１１との間隙（挟持領域）を被保持容器Ａの直径よりも十分に短くできる幅とする。
前記保持孔の形態は、被保持容器Ａが通り抜けない形状やサイズを採用する。
当該被保持容器Ａと前記背板４との間に緩衝材Ｂとして説明書等を介在させる場合には、当該厚みを考慮して前記主支片１２ａ、副支片１２ｂ及び糊代板１０の幅を加減するものとする。
【００２７】
＜組み立て＞
上記の如く形成されたブランクシート（必要に応じて前記折り線１１ｃや、前記突っ張り片１２又は前記糊代板１０と保持部１１ｂとの境界線等に間欠的な切込みを適宜穿設し屈曲を容易にしても良い。）を用い、以下の通り折り曲げ成形が成される。
即ち、当該例では、先ず、四つの側面で長方形断面の筒体を形成する様に折った状態で前記第一糊代１０を右側板１の裏面右縁に接着し、前記前板２及び背板４並びに両側板１，３に対して前記前底板６及び背底板７並びに左右底支持片１４，１３を前記筒体の内側へ直角に折り曲げた状態で、前記第二糊代６ａを右底支持片１３の表面に貼着し、前記第三糊代７ａを前記左底支持片１４の表面に貼着する。
【００２８】
この際、前底板６の前支持面６ｂを左底支持片１４及び背底板７の下に差し入れて重ね、前記背底板７の背支持面７ｂを右底支持片１３及び前底板６の下に差し入れることによって、前記突っ張り片１２は、前記右側板１の裏面に対し突っ張り力を加えつつ、その側端縁によって、前記保持板１１を、箱内の一定領域に内包すると共に、前記右底支持片１３、前底板６、左底支持片１４、及び背底板７が密着して一体化し、当該箱の平坦な底板が形成される。
【００２９】
かかる状態で被保持容器Ａを挟持領域に装填し、前記の如く緩衝材Ｂとして説明書を封入し、更に、左右蓋支持片９，８を内側へ折り、上蓋（閉鎖板５ａ）５を閉め、その差し込み片５ｂを前記前板２の内側へ差し入れることによって直方体状の包装用箱が完成する。
その際、前記閉鎖板５ａと前記支持部１１ａの受圧部とが抵触し、当該支持部１１ａが前記折り線１１ｃを境として前方へ傾倒し、前記支持片１６が自動的に前方へせり出して前記被保持容器Ａの首部の左右側方へ挿し入れられることとなる。
【００３０】
本考案による包装用箱は以上の如く構成され、包装用箱の開口部を封鎖した後は、前記保持板１１の非保持側は、緩衝空間となり、開封口を押し入れた際の指と被保持容器Ａとの干渉で生じ得る被保持容器の意図せぬ開封を回避する予備領域ともなる。
【符号の説明】
【００３１】
Ａ  被保持容器，Ｂ  緩衝材，
全側板，
１  右側板，
２  前板，２ａ  切込み線，
３  左側板，４  背板，
５  上蓋，５ａ  閉鎖板，５ｂ  差し込み片，
６  前底板，６ａ  第二糊代，６ｂ  前支持面，６ｃ  第一境界線，
７  背底板，７ａ  第三糊代，７ｂ  背支持面，７ｃ  第二境界線
８  右蓋支持片，９  左蓋支持片，１０  糊代板，
１１  保持板，１１ａ  支持部，１１ｂ  保持部，１１ｃ  折り線，
１２  突っ張り片，１２ａ  主支片，１２ｂ  副支片，
１３  右底支持片，１４  左底支持片，１５  抜き孔，
１６  支持片，１６ａ  股部，１６ｂ  突出片，１６ｃ  切込み，
【図１】
0003182479.tif 000003
【図２】
0003182479.tif 000004
【図３】
0003182479.tif 000005
【図４】
0003182479.tif 000006
【図５】
0003182479.tif 000007
【図６】
0003182479.tif 000008
【図７】
0003182479.tif 000009
【図８】
0003182479.tif 000010
【図９】
0003182479.tif 000011
【図１０】
0003182479.tif 000012
【図１１】
0003182479.tif 000013